(57)【特許請求の範囲】
【請求項１】
天井面に映像を表示する表示装置と、
前記天井面に対向する床面上にいる観覧者が装着する眼鏡装置とを備え、
前記眼鏡装置は、前記観覧者の視線が水平方向または水平方向よりも僅かに下方を向いた状態で、前記天井面に表示された映像を反射して前記観覧者の眼に導く反射部を有し、
前記眼鏡装置は、前記反射部と前記天井面との間に、前記反射部を介して前記観覧者の眼に導かれる前記天井面の範囲を拡大する光学系を備える、
ことを特徴とする映像表示システム。
【請求項２】
前記天井面に表示される映像は、上方に位置する視点から下方に位置する対象物を見下ろした場合に視認される映像である、
ことを特徴とする請求項１記載の映像表示システム。
【請求項３】
前記反射部は、前記観覧者の眼の前方に位置し、前記映像を反射して前記観覧者の眼に導くミラーまたはプリズムを備えている、
ことを特徴とする請求項１または２記載の映像表示システム。
【請求項４】
前記反射部は、前記観覧者の眼の前方の下方に位置し、前記映像を反射して前記観覧者の眼に導く単一のミラーを備えている、
ことを特徴とする請求項１または２記載の映像表示システム。
【請求項５】
前記表示装置は、前記天井面に映像を投影する投影機で構成されている、
ことを特徴とする請求項１〜４の何れか１項記載の映像表示システム。
【請求項６】
前記投影機は、前記天井面の中央の下方に位置する前記床面の箇所に配置される、
ことを特徴とする請求項５記載の映像表示システム。
【請求項７】
前記眼鏡装置は、前記観覧者の頭部に装着される装着部材に設けられている、
ことを特徴とする請求項１〜６の何れか１項記載の映像表示システム。
【発明の詳細な説明】
【技術分野】
【０００１】
本発明は映像表示システムに関する。
【背景技術】
【０００２】
施設の床に設けられた開口の下方に上方に向けて映像を表示する表示部を設け、開口周囲の床上に位置する観覧者が表示部に表示された映像を見下ろして観覧するようにした映像表示システムが提供されている（特許文献１参照）。
この映像表示システムでは、表示部に上空から撮影した地上の景色等の映像を表示させることで、観覧者に対して、自らが空中を浮遊したり飛行しているかのような視覚的効果を感じさせるようにしている。
【先行技術文献】
【特許文献】
【０００３】
【特許文献１】特許第５５３００２２号公報
【発明の概要】
【発明が解決しようとする課題】
【０００４】
しかしながら、上記従来技術では、施設の床に開口を設けるとともに、開口の下方に表示部を設置する必要があることから、設備が大掛かりなものとなりやすく、映像表示システムを設けるために様々な制約があり、設備コストが嵩むものとなっている。
また、観覧者は、開口周囲からを表示部を見下ろすことになるため、観覧者が所在できるスペースが開口の外側に限られることから、映像を観覧し得る観覧者の人数が限定される。
また、観覧者が開口周囲から表示部を見下ろす際、観覧者の視野内に他の観覧者の姿が入ることが避けられないため、映像を見る際の邪魔となりやすく、視覚的効果を高める上で改善の余地がある。
本発明はこのような事情に鑑みなされたものであり、その目的は、設備コストの抑制を図りつつ多数の観覧者によって観覧する上で有利であり、視覚的効果を高める上で有利な映像表示システムを提供することにある。
【課題を解決するための手段】
【０００５】
上述の目的を達成するため、本発明の映像表示システムは、天井面に映像を表示する表示装置と、前記天井面に対向する床面上にいる観覧者が装着する眼鏡装置とを備え、前記眼鏡装置は、前記観覧者の視線が水平方向または水平方向よりも僅かに下方を向いた状態で、前記天井面に表示された映像を反射して前記観覧者の眼に導く反射部を有し、前記眼鏡装置は、前記反射部と前記天井面との間に、前記反射部を介して前記観覧者の眼に導かれる前記天井面の範囲を拡大する光学系を備えることを特徴とする。
【発明の効果】
【０００６】
本発明によれば、観覧者の視線が水平方向または水平方向よりも僅かに下方を向いた状態で、天井面に表示された映像が眼鏡装置の反射部により反射されて観覧者の眼に導かれる。
したがって、床面に大掛かりな設備を設けることなく、既存の天井面を利用して映像を表示できるため、設備コストの低減を図る上で有利となる。
また、観覧者と天井面との間には、家具や構造物が設置されていることが少ないため、天井面に対してより大きな映像を表示させることができ、設備コストを抑制しつつ、多数の観覧者によって観覧する上で有利となる。
また、床面に大きな開口や表示部を設けないため、観覧者を収容するスペースを大きく確保でき、多数の観覧者によって観覧する上で有利となる。
また、天井面に表示された映像が反射部によって観覧者の眼に導かれるため、観覧者は、隣り合う観覧者の姿に邪魔されること無く映像を視認できるので、多数の観覧者によって映像を観覧する上で有利となる。
また、観覧者は、視線を水平方向に向けたままで、足元に広がる映像を視認できるため、視覚的効果を高める上で有利となる。
【図面の簡単な説明】
【０００７】
【図１】第１の実施の形態に係る映像表示システムの構成を示す斜視図である。
【図２】（Ａ）は第１の実施の形態における眼鏡装置の構成を示す斜視図、（Ｂ）は眼鏡装置の使用状態の説明図である。
【図３】（Ａ）は第２の実施の形態における眼鏡装置の構成を示す斜視図、（Ｂ）は眼鏡装置の使用状態の説明図である。
【図４】第３の実施の形態における眼鏡装置の使用状態の説明図である。
【発明を実施するための形態】
【０００８】
（第１の実施の形態）
以下、本実施の形態について図面を参照して説明する。
図１に示すように、映像表示システム１０は、天井面２と、天井面２に対向する床面４と、天井面２と床面４とを接続する壁面５とを備える施設６に設置される。
このような施設６として、映像Ｍを表示し得る天井面２を有する施設が使用可能であり、例えば、複数の観覧者を収容可能な会議室、ホール、体育館などを使用することができる。
【０００９】
映像表示システム１０は、表示装置１２と、図２（Ａ）、（Ｂ）に示す眼鏡装置１４とを備えている。
表示装置１２は、天井面２に映像Ｍを表示するものであり、本実施の形態では、天井面２に映像Ｍを投影する投影機１２Ａで構成されている。
また、投影機１２Ａは、天井面２の中央の下方に位置する床面４の箇所に配置されている。
【００１０】
眼鏡装置１４は、図２（Ａ）、（Ｂ）に示すように、床面４上にいる観覧者Ｐが装着するものである。
眼鏡装置１４は、観覧者Ｐの頭部Ｈに装着される装着部材１６に設けられており、本実施の形態では、装着部材１６は、眼鏡のフレームと同様に鼻と両耳とに掛けて使用する。
眼鏡装置１４は、観覧者Ｐの視線が水平方向を向いた状態で、天井面２に表示された映像Ｍを反射して観覧者Ｐの眼Ｅに導く反射部１８を有している。
反射部１８は、観覧者Ｐの左右の眼Ｅの前方にそれぞれ位置し、天井面２に表示された映像Ｍを反射して観覧者Ｐの眼Ｅに導く左右のプリズム１８０２Ａ、１８０２Ｂを備えている。
詳細に説明すると、左右のプリズム１８０２Ａ、１８０２Ｂは、眼鏡装置１４が観覧者Ｐの頭部Ｈに装着された状態で、天井面２に対向する入射面１８０４と、入射面１８０４と９０度をなし観覧者Ｐの眼Ｅに対向する射出面１８０６と、入射面１８０４および射出面１８０６と４５度をなす反射面１８０８とを備えている。
したがって、反射面１８０８は、観覧者Ｐが水平方向に視線を向けた状態で、観覧者Ｐの視線に対して４５度の角度をもって交差している。
なお、反射部１８は、左右のプリズム１８０２Ａ、１８０２Ｂに代えて、観覧者Ｐが水平方向に視線を向けた状態で、視線に対してほぼ４５度の角度をもって交差する反射面を備える左右のミラーを有してもよい。
【００１１】
次に作用効果について説明する。
図１に示すように、表示装置１２は、天井面２に映像Ｍを表示する。
床面４上にいる観覧者Ｐは、頭部Ｈに眼鏡装置１４を装着しており、左右のプリズム１８０２Ａ、１８０２Ｂの反射面１８０８により、天井面２の映像Ｍが観覧者Ｐの眼Ｅに導かれる。そのため、観覧者Ｐは、天井面２の映像Ｍをあたかも足元に広がる映像Ｍとして視認することができる。
なお、図２（Ｂ）において、二点鎖線は観覧者Ｐの視野を示す。
天井面２に表示される映像Ｍとして、上方に位置する視点から下方に位置する対象物を見下ろした場合に視認される映像Ｍを用いることができる。
このような映像Ｍとして、無人航空機（UAV：Unmanned Air Vehicle）、ヘリコプター、飛行機、気球、飛行船、人工衛星等の飛行物から撮影した映像を用いることができる。
この場合、観覧者Ｐは、上方の箇所から下方を見下ろすように映像Ｍを見ることができ、空中を飛行、あるいは、空中を浮遊しているかのような視覚効果を感じることができる。
【００１２】
本実施の形態によれば、眼鏡装置１４の反射部１８により、観覧者Ｐの視線が水平方向を向いた状態で、天井面２に表示された映像Ｍを反射して観覧者Ｐの眼Ｅに導かれる。
したがって、従来のように床面４に設けた開口を介して表示部を見下ろす場合と異なり、床面４に大掛かりな設備を設けることなく、天井面２を利用して映像Ｍを表示できるため、設置に際しての制約が少なく、設備コストの低減を図る上で有利となる。
特に、観覧者Ｐと天井面２との間には、家具や構造物などの障害物が設置されていることが少ないため、天井面２に対してより大きな映像Ｍを表示させることができ、設備コストを抑制しつつ、多数の観覧者Ｐによって観覧する上で有利となる。
また、床面４に大きな開口や表示部を設けないため、観覧者Ｐを収容するスペースを大きく確保でき、多数の観覧者Ｐによって観覧する上で有利となる。
また、天井面２に表示された映像Ｍが反射部１８によって観覧者Ｐの眼Ｅに導かれるため、観覧者Ｐは、隣り合う観覧者Ｐの姿が視野に入らない。そのため、隣り合う観覧者Ｐの姿に邪魔されること無く映像Ｍを視認できるので、多数の観覧者Ｐによって映像を観覧する上で有利となる。
また、観覧者Ｐは、視線を水平方向に向けたままで、足元に広がる映像Ｍを視認できるため、視覚的効果を高める上で有利となる。
また、観覧者Ｐは、床面４に起立した状態であっても、床面４あるいは床面４に設置された座席に座った状態であっても眼鏡装置１４を介して天井面２に表示された映像Ｍを容易に視認できるため、観覧者Ｐは映像Ｍを見るにあたって表示部を見下ろすといった特定の姿勢を取り続ける必要がなく、観覧者Ｐの身体にかかる負担の軽減を図る上で有利となる。
【００１３】
また、本実施の形態では、天井面２に表示される映像Ｍが上方に位置する視点から下方に位置する対象物を見下ろした場合に視認される映像Ｍであるため、観覧者Ｐが空中を飛行、あるいは、空中を浮遊しているかのような視覚効果を高める上で有利となる。
【００１４】
また、本実施の形態では、反射部１８は、プリズム１８０２Ａ、１８０２Ｂを備えているので、眼鏡装置１４の構成の簡素化を図る上で有利となる。
【００１５】
また、本実施の形態では、表示装置１２は、天井面２に映像Ｍを投影する投影機１２Ａで構成されているので、天井面２の面積の大きさに対応して映像Ｍの大きさを自由に変えることでき、表示する映像Ｍの大きさの自由度を確保する上で有利となる。
【００１６】
また、本実施の形態では、投影機１２Ａは、天井面２の中央の下方に位置する床面４の箇所に配置されているので、天井面２の中央にバランスよく映像Ｍを投影でき、床面４のどの位置からも映像Ｍを容易に視認する上で有利となる。
【００１７】
また、本実施の形態では、眼鏡装置１４は、観覧者Ｐの頭部Ｈに装着される装着部材１６に設けられているので、観覧者Ｐが眼鏡装置１４を容易に装着する上で有利となる。
【００１８】
（第２の実施の形態）
次に第２の実施の形態について図３（Ａ）、（Ｂ）を参照して説明する。なお、以下の実施の形態では、第１の実施の形態と同様の部分、部材については第１の実施の形態と同一の符号を付してその説明を省略する。
第２の実施の形態は、眼鏡装置１４の反射部１８の構成が第１の実施の形態と異なっており、その他の点は第１の実施の形態と同様であるため、反射部１８について重点的に説明する。
図３（Ａ）、（Ｂ）に示すように、眼鏡装置１４は、第１の実施の形態と同様に、観覧者Ｐの頭部Ｈに装着される装着部材１６に設けられ、装着部材１６は、鼻と両耳とに掛けて用いる眼鏡のフレーム状を呈し、反射部１８を有している。
反射部１８は、観覧者Ｐの左右の眼Ｅの前方の下方に位置し、映像Ｍを反射して観覧者Ｐの眼Ｅに導く単一のミラー１８１０を備えている。
詳細に説明すると、単一のミラー１８１０は、観覧者Ｐが水平方向よりも僅かに下方に視線を向けた状態で、視線に対して交差する反射面１８０４を備えている。水平方向よりも僅かに下方に向けた視線とは、水平面と視線とがなす角度が０度より大きく４５度以下の範囲にある場合をいう。
【００１９】
このような第２の実施の形態においても、眼鏡装置１４の反射部１８により、観覧者Ｐの視線が水平方向よりも僅かに下方を向いた状態で、天井面２に表示された映像Ｍを反射して観覧者Ｐの眼Ｅに導かれる。
したがって、第１の実施の形態と同様に、床面４に大掛かりな設備を設けることなく、天井面２を利用して映像Ｍを表示できるため、設置に際しての制約が少なく、設備コストの低減を図る上で有利となり、設備コストを抑制しつつ、多数の観覧者Ｐによって観覧する上で有利となる。
また、観覧者Ｐは、視線を水平方向に向けたままで、足元に広がる映像Ｍを視認できるため、視覚的効果を高める上で有利となる。
また、観覧者Ｐは映像Ｍを見るにあたって表示部を見下ろすといった特定の姿勢を取り続ける必要がなく、観覧者Ｐの身体にかかる負担の軽減を図る上で有利となる。
また、第２の実施の形態では、反射部１８は、単一のミラー１８１０を備えているので、眼鏡装置１４の構成の簡素化を図る上で有利となる。
【００２０】
（第３の実施の形態）
次に第３の実施の形態について図４を参照して説明する。
第３の実施の形態は、第１の実施の形態の変形例であり、眼鏡装置１４は、反射部１８と天井面２との間に、反射部１８を介して観覧者Ｐの眼Ｅに導かれる天井面２の範囲を拡大する光学系２０を備えている。
光学系２０は、左右のプリズム１８０２Ａ、１８０２Ｂの入射面１８０４の上方箇所にそれぞれ設けられた左右のレンズ２００２Ａ、２００２Ｂで構成されている。各レンズ２００２Ａ、２００２Ｂは、観覧者Ｐの頭部Ｈに装着される装着部材１６に取着されている。なお、光学系２０を構成するレンズは単一であっても複数のレンズを組み合わせたものであってもよい。
図４において、光学系２０を設けない場合の視野角をα、光学系２０を設けた場合の視野角をβとすると、視野角α＜視野角βとなり、天井面２に表示された映像Ｍをより広い範囲で視認することが可能となる。
したがって、第３の実施の形態によれば、第１の実施の形態の作用効果に加え、観覧者Ｐは、視線を水平方向に向けたままで、足元に広がる映像Ｍをより広い範囲で視認でき、視覚的効果を高める上でより有利となる。
【符号の説明】
【００２１】
２  天井面
４  床面
Ｐ  観覧者
Ｈ  頭部
Ｅ  眼
Ｍ  映像
１０  映像表示システム
１２  表示装置
１２Ａ  投影機
１４  眼鏡装置
１６  装着部材
１８  反射部
１８０２Ａ、１８０２Ｂ  左右のプリズム
１８０４  入射面
１８０６  射出面
１８０８  反射面
１８１０  単一のミラー
２０  光学系
２００２Ａ、２００２Ｂ  左右のレンズ
【図１】
0006618281.tif 000002
【図２】
0006618281.tif 000003
【図３】
0006618281.tif 000004
【図４】
0006618281.tif 000005